(57)【要約】【課題】地域固有の情報を抽出可能な情報提供装置、情報提供方法および情報提供プログラムを提供する。【解決手段】実施形態によれば、放送情報受信部と、キーワード受信部と、集約部と、キーワード抽出部と、注目情報生成部と、を備える情報提供装置が提供される。放送情報受信部は、受信した番組の放送地域を示す地域情報と、受信した番組を示す番組情報と、当該番組に含まれる字幕を示す字幕情報と、を受信する。キーワード受信部は、所定のキーワードを受信する。集約部は、前記地域情報、前記番組情報および前記字幕情報に基づいて、前記番組情報と、当該番組情報が示す番組が放送された地域を示す地域情報と、当該番組に含まれる字幕を示す字幕情報と、を関連づける。キーワード抽出部は、前記字幕情報に含まれる前記所定のキーワードを抽出する。注目情報生成部は、指定された地域で放送された番組に含まれる前記所定のキーワードを含む注目情報を生成する。【選択図】図１
2015065594.tif 000002
【特許請求の範囲】
【請求項１】
受信した番組の放送地域を示す地域情報と、受信した番組を示す番組情報と、当該番組に含まれる字幕を示す字幕情報と、を受信する放送情報受信部と、
所定のキーワードを受信するキーワード受信部と、
前記地域情報、前記番組情報および前記字幕情報に基づいて、前記番組情報と、当該番組情報が示す番組が放送された地域を示す地域情報と、当該番組に含まれる字幕を示す字幕情報と、を関連づける集約部と、
前記字幕情報に含まれる前記所定のキーワードを抽出するキーワード抽出部と、
指定された地域で放送された番組に含まれる前記所定のキーワードを含む注目情報を生成する注目情報生成部と、を備える情報提供装置。
【請求項２】
前記集約部は、前記番組情報を、特定の地域で放送される番組と、前記テレビ放送受信装置が設けられた地域で共通して放送される番組と、に分類する、請求項１に記載の情報提供装置。
【請求項３】
各番組について第１の注目度を付す注目度評価部を備え、
前記注目情報生成部は、前記所定のキーワードについて、各番組に付された前記第１の注目度に基づく第２の注目度を算出し、前記所定のキーワードおよび前記第２の注目度を含む前記注目情報を生成する、請求項１に記載の情報提供装置。
【請求項４】
前記キーワード抽出部は、前記字幕情報における前記所定のキーワードの登場回数をカウントし、
前記注目情報生成部は、前記所定のキーワードについて、各番組に付された前記第１の注目度と、前記所定のキーワードの登場回数と、に基づいて前記第２の注目度を算出する、請求項３に記載の情報提供装置。
【請求項５】
視聴された番組を示す視聴番組情報を受信する視聴番組受信部を備え、
前記注目度評価部は、前記視聴番組情報に応じて、各番組について前記第１の注目度を付す、請求項３に記載の情報提供装置。
【請求項６】
前記注目情報は、前記所定のキーワードが含まれる前記番組情報を含む、請求項１に記載の情報提供装置。
【請求項７】
受信した番組の放送地域を示す地域情報と、受信した番組を示す番組情報と、当該番組に含まれる字幕を示す字幕情報と、を受信するステップと、
所定のキーワードを受信するステップと、
前記地域情報、前記番組情報および前記字幕情報に基づいて、前記番組情報と、当該番組情報が示す番組が放送された地域を示す地域情報と、当該番組に含まれる字幕を示す字幕情報と、を関連づけるステップと、
前記字幕情報に含まれる前記所定のキーワードを抽出するステップと、
指定された地域で放送された番組に含まれる前記所定のキーワードを含む注目情報を生成するステップと、を備える情報提供方法。
【請求項８】
前記関連付けるステップでは、前記番組情報を、特定の地域で放送される番組と、前記テレビ放送受信装置が設けられた地域で共通して放送される番組と、に分類する、請求項７に記載の情報提供方法。
【請求項９】
各番組について第１の注目度を付すステップを備え、
前記注目情報を生成するステップでは、前記所定のキーワードについて、各番組に付された前記第１の注目度に基づく第２の注目度を算出し、前記所定のキーワードおよび前記第２の注目度を含む前記注目情報を生成する、請求項７に記載の情報提供方法。
【請求項１０】
前記キーワードを抽出するステップでは、前記字幕情報における前記所定のキーワードの登場回数をカウントし、
前記注目情報を生成するステップでは、前記所定のキーワードについて、各番組に付された前記第１の注目度と、前記所定のキーワードの登場回数と、に基づいて前記第２の注目度を算出する、請求項９に記載の情報提供方法。
【請求項１１】
視聴された番組を示す視聴番組情報を受信するステップを備え、
前記第１の注目度を付すステップでは、前記視聴番組情報に応じて、各番組に前記第１の注目度を付す、請求項９に記載の情報提供方法。
【請求項１２】
前記注目情報は、前記所定のキーワードが含まれる前記番組情報を含む、請求項７に記載の情報提供方法。
【請求項１３】
受信した番組の放送地域を示す地域情報と、受信した番組を示す番組情報と、当該番組に含まれる字幕を示す字幕情報と、を受信するステップと、
所定のキーワードを受信するステップと、
前記地域情報、前記番組情報および前記字幕情報に基づいて、前記番組情報と、当該番組情報が示す番組が放送された地域を示す地域情報と、当該番組に含まれる字幕を示す字幕情報と、を関連づけるステップと、
前記字幕情報に含まれる前記所定のキーワードを抽出するステップと、
指定された地域で放送された番組に含まれる前記所定のキーワードを含む注目情報を生成するステップと、をコンピュータに実行させる情報提供プログラム。
【請求項１４】
前記関連付けるステップでは、前記番組情報を、特定の地域で放送される番組と、前記テレビ放送受信装置が設けられた地域で共通して放送される番組と、に分類する、請求項１３に記載の情報提供プログラム。
【請求項１５】
各番組について第１の注目度を付すステップをコンピュータに実行させ、
前記注目情報を生成するステップでは、前記所定のキーワードについて、各番組に付された前記第１の注目度に基づく第２の注目度を算出し、前記所定のキーワードおよび前記第２の注目度を含む前記注目情報を生成する、請求項１３に記載の情報提供プログラム。
【請求項１６】
前記キーワードを抽出するステップでは、前記字幕情報における前記所定のキーワードの登場回数をカウントし、
前記注目情報を生成するステップでは、前記所定のキーワードについて、各番組に付された前記第１の注目度と、前記所定のキーワードの登場回数と、に基づいて前記第２の注目度を算出する、請求項１５に記載の情報提供プログラム。
【請求項１７】
視聴された番組を示す視聴番組情報を受信するステップをコンピュータに実行させ、
前記第１の注目度を付すステップでは、前記視聴番組情報に応じて、各番組について前記第１の注目度を付す、請求項１５に記載の情報提供プログラム。
【請求項１８】
前記注目情報は、前記所定のキーワードが含まれる前記番組情報を含む、請求項１３に記載の情報提供プログラム。
【発明の詳細な説明】
【技術分野】
【０００１】
本発明の実施形態は、情報提供装置、情報提供方法および情報提供プログラムに関する。
【背景技術】
【０００２】
インターネットやスマートフォンの普及により、種々の情報が手軽に得られるようになってきている。しかしながら、得られる情報は全国に共通するものが多く、地域固有の情報を得るのは難しいのが現状である。
【先行技術文献】
【特許文献】
【０００３】
【特許文献１】特開２００９−９４９０６号公報
【特許文献２】特開２０１２−１７５１４２号公報
【特許文献３】特開２００６−９４１７１号公報
【特許文献４】特開２０１３−８０９８８号公報
【発明の概要】
【発明が解決しようとする課題】
【０００４】
地域固有の情報を抽出可能な情報提供装置、情報提供方法および情報提供プログラムを提供する。
【課題を解決するための手段】
【０００５】
実施形態によれば、放送情報受信部と、キーワード受信部と、集約部と、キーワード抽出部と、注目情報生成部と、を備える情報提供装置が提供される。放送情報受信部は、受信した番組の放送地域を示す地域情報と、受信した番組を示す番組情報と、当該番組に含まれる字幕を示す字幕情報と、を受信する。キーワード受信部は、所定のキーワードを受信する。集約部は、前記地域情報、前記番組情報および前記字幕情報に基づいて、前記番組情報と、当該番組情報が示す番組が放送された地域を示す地域情報と、当該番組に含まれる字幕を示す字幕情報と、を関連づける。キーワード抽出部は、前記字幕情報に含まれる前記所定のキーワードを抽出する。注目情報生成部は、指定された地域で放送された番組に含まれる前記所定のキーワードを含む注目情報を生成する。
【図面の簡単な説明】
【０００６】
【図１】情報提供システムの概略構成を示すブロック図。
【図２】テレビ放送受信装置１の概略構成を示すブロック図。
【図３】テレビ放送表示装置２の概略構成を示すブロック図。
【図４】集約装置４の概略構成を示すブロック図。
【図５】集約部４４の処理を説明する図。
【図６】注目度評価部４５の処理を説明する図。
【図７】キーワード抽出部４６の処理を説明する図。
【図８】データベースの構造の一例を示す図。
【図９】ユーザ端末装置５の概略構成を示すブロック図。
【図１０】注目情報を説明する図。
【図１１】情報提供システムの処理動作の一例を示すシーケンス図。
【発明を実施するための形態】
【０００７】
以下、実施形態について、図面を参照しながら具体的に説明する。
【０００８】
図１は、情報提供システムの概略構成を示すブロック図である。情報提供システムは、複数のテレビ放送受信装置１と、複数のテレビ放送表示装置２と、キーワード生成装置３と、集約装置（情報提供装置）４と、ユーザ端末装置５とを備えている。
【０００９】
複数のテレビ放送受信装置１は、互いに異なる地域に設置され、互いに異なるテレビ放送局１０からのテレビ放送波を受信する。例えば全国にテレビ放送局１０が３０個ある場合、それぞれに対応する３０個のテレビ放送受信装置１を設置するのが望ましい。
【００１０】
図２は、テレビ放送受信装置１の概略構成を示すブロック図である。同図に示すように、各テレビ放送受信装置１は、テレビ放送波受信部１１と、放送情報抽出部１２と、放送情報送信部１３とを有する。
【００１１】
テレビ放送波受信部１１は自身が設置された地域におけるテレビ放送局１０からのテレビ放送波を受信する。テレビ放送波には複数の番組（コンテンツ）が含まれている。
【００１２】
放送情報抽出部１２は、放送情報として、受信したテレビ放送波に含まれる番組を示す番組情報と、各番組に含まれる字幕を示す字幕情報とを抽出する。番組情報は番組を特定する情報であり、例えば番組のタイトルである。番組情報は、例えば電子番組表から抽出される。字幕情報は、テレビ放送波に含まれていてもよいし、番組の映像情報から抽出されてもよい。
【００１３】
放送情報送信部１３は、番組情報および字幕情報に加え、自身が設置されている地域、言い換えると、受信した番組の放送地域を示す地域情報を、例えばインターネットにより集約装置４に送信する。
【００１４】
図１に戻り、テレビ放送表示装置２はいわゆるテレビであり、各家庭などに設けられる。１つのテレビ放送受信装置１に対して、同じ地域のテレビ放送局１０からのテレビ放送を受信する、１または複数のテレビ放送表示装置２が設けられる。テレビ放送表示装置２の数に特に制限はないが、後述する注目度の精度を上げるためには、できるだけ多いのが望ましい。
【００１５】
図３は、テレビ放送表示装置２の概略構成を示すブロック図である。同図に示すように、テレビ放送表示装置２は、テレビ放送波受信部２１と、番組表示部２２と、視聴番組抽出部２３と、視聴番組送信部２４とを有する。
【００１６】
テレビ放送波受信部２１は自身が設置された地域におけるテレビ放送局１０からのテレビ放送波を受信する。そして、ユーザからの指示に応じて、テレビ放送波受信部２１はテレビ放送波に含まれる複数の番組のうちの特定の番組を選局（チューニング）する。選局される番組の数は１つでもよいし、２つ以上でもよい。
【００１７】
番組表示部２２は液晶パネルなどのディスプレイであり、選局された番組を表示する。テレビ放送波受信部２１が１つの番組を抽出し、番組表示部がこの１つの番組を表示してもよい。あるいは、番組表示部２２が２画面表示機能を有する場合、テレビ放送波受信部２１が２つの番組を選局し、番組表示部２２が同時に２つの番組を表示してもよい。
【００１８】
視聴番組抽出部２３はユーザが視聴した番組を示す番組情報を抽出する。テレビ放送表示装置２にカメラを設けるなどしてユーザが実際に視聴していることを確認するのが望ましいが、番組表示部２２に表示された番組を視聴された番組とみなしてもよい。
【００１９】
視聴番組送信部２４はユーザにより視聴された番組を示す視聴番組情報を、例えばインターネットにより集約装置４に送信する。
【００２０】
図１に戻り、キーワード生成装置３は現在注目されているキーワード（以下、単に注目キーワードという）を生成する。注目キーワードの生成手法に制限はなく、例えば任意の検索エンジンで多く検索されたキーワードを注目キーワードとしてもよいし、ＳＮＳ（Social Networking Service）で頻繁に使用されたキーワードを注目キーワードとしてもよい。生成された注目キーワードは、例えばインターネットにより集約装置４に送信される。
【００２１】
集約装置４は、テレビ放送受信装置１、テレビ放送表示装置２およびキーワード生成装置３からの情報を集約し、地域ごとに注目されているキーワードを示すデータベースを生成する。そして、ユーザ端末装置５に対して、地域ごとに注目されているキーワードを提供する。
【００２２】
図４は、集約装置４の概略構成を示すブロック図である。同図に示すように、集約装置４は、放送情報受信部４１と、視聴番組受信部４２と、キーワード受信部４３と、集約部４４と、注目度評価部４５と、キーワード抽出部４６と、データベース生成部４７と、記憶部４８と、注目情報生成部４９とを有する。なお、図４では各部が１つの装置内に設けられるように描かれているが、２つ以上の装置に分散して設けられてもよいし、各部の少なくとも一部がインターネットを介して接続される、いわゆるクラウド構造であってもよい。
【００２３】
放送情報受信部４１は、各テレビ放送波受信装置１から、番組情報、字幕情報および地域情報を受信する。視聴番組受信部４２は、各テレビ放送表示装置２から、ユーザが視聴した番組を示す視聴番組情報を受信する。キーワード受信部４３はキーワード生成装置３から注目キーワードを受信する。
【００２４】
集約部４４は、放送情報受信部４１から番組情報、字幕情報および地域情報を取得する。そして、集約部４４は、番組情報と、当該番組情報が示す番組が放送された地域を示す地域情報と、この番組に含まれる字幕を示す字幕情報とを関連づける。
【００２５】
図５は、集約部４４の処理を説明する図である。図示のように、集約部４４は地域ごとに番組情報を分類する。すなわち、特定の地域でのみ放送される番組（いわゆるローカル番組）と、テレビ放送受信装置１が配置されたすべての地域で共通して放送される番組（いわゆる全国番組）とに、番組情報を分類する。同図の例では、地域Ａ１のみに、タイトルＴ１１，タイトルＴ１２などの番組が放送されている。また、全国にタイトルＴｎなどの番組が放送されている。そして、各番組情報にはこの番組に含まれる字幕情報が関連付られている。
【００２６】
図４に戻り、注目度評価部４５は視聴番組受信部４２から視聴番組情報を取得する。そして、注目度評価部４５は、視聴番組情報に基づいて、各番組情報の注目度を評価する。
【００２７】
図６は、注目度評価部４５の処理を説明する図である。図示のように、注目度評価部４５は集約部４４が集約した各番組情報に注目度を付す。注目度は、多くのユーザにより視聴されている番組ほど、高く設定される。一例として、番組が視聴されたテレビ放送表示装置２の数を注目度としてもよい。同図の例では、タイトルＴ１１の注目度は１０であるのに対し、タイトルＴ１２の注目度は５０であり、地域Ａ１において後者の方が注目されている番組と言える。
【００２８】
図４に戻り、キーワード抽出部４６はキーワード受信部４３から注目キーワードを取得する。そして、キーワード抽出部４６は、集約部４４が集約した字幕情報に含まれる、注目キーワードを抽出する。
【００２９】
図７は、キーワード抽出部４６の処理を説明する図である。キーワード抽出部４６は、番組情報に含まれる字幕情報から、注目キーワードを抽出する。また、キーワード抽出部４６は注目キーワードの登場回数をカウントしてもよい。同図では、注目キーワードとして「みかん」および「なし」が受信された例を示している。この場合、キーワード抽出部４６は、タイトルＴ１１の番組情報に含まれる字幕情報から、注目キーワード「みかん」が２回登場していることを抽出する。同様に、キーワード抽出部４６は、タイトルＴ１２の番組情報に含まれる字幕情報から、注目キーワード「みかん」および「なし」がそれぞれ１回登場していることを抽出する。
【００３０】
図４に戻り、データベース生成部４７は図７から特に重要な情報を取り出してデータベースを生成する。生成されたデータベースは記憶部４８に記憶される。
【００３１】
図８は、データベースの構造の一例を示す図である。図示のように、データベースには、各地域で放送される番組情報、その番組情報の注目度、その番組情報に含まれる字幕情報に現れた注目キーワードおよびその回数が含まれる。
【００３２】
図４に戻り、注目情報生成部４９は、ユーザ端末装置５からの要求に応答して、注目情報を生成する。より具体的には、注目情報生成部４９はユーザ端末装置５から出力条件を受け取り、記憶部４８に記憶されたデータベースを参照して、出力条件に応じた注目情報を生成する。出力条件には少なくとも地域に関する指定が含まれる。出力条件および注目情報の具体例については後述する。
【００３３】
図１に戻り、ユーザ端末装置５はユーザが使用するものであり、集約装置４に対して出力条件を送信して情報の提供を要求し、必要な情報を受け取る。ユーザ端末装置５は例えば１台のパーソナルコンピュータにより実現される。
【００３４】
図９は、ユーザ端末装置５の概略構成を示すブロック図である。ユーザ端末装置５は、条件設定部５１と、送受信部５２と、情報表示部５３と、を有する。
【００３５】
条件設定部５１は、キーボードやマウスなどのインターフェースを介してユーザからの指示を受け、上述した出力条件を設定する。
【００３６】
送受信部５２は例えばインターネットにより集約装置４と情報の送受を行う。より具体的には、送受信部５２は集約装置４に出力条件を送信したり、集約装置４から注目情報を受信したりする。
【００３７】
情報表示部５３は液晶パネルなどのディスプレイであり、注目情報を表示する。
【００３８】
図１０は、注目情報を説明する図である。注目情報を生成するための出力条件として、少なくとも地域に関する指定が含まれる。地域に関する指定は、１または複数の特定の地域の指定でもよいし、「全国」という指定でもよい。そして、集約装置４の注目情報生成部４９は、記憶部４８に記憶された図８のデータベースを参照して、指定された地域で放送された番組に含まれる注目キーワードを列挙する。さらに、注目情報生成部４９は、データベースにおける注目度（第１の注目度）に基づいて、各注目キーワードの注目度（第２の注目度）を新たに算出してもよいし、注目キーワードが用いられた番組情報を特定してもよい。
【００３９】
図１０は、ユーザ端末装置５の条件設定部５１が「地域Ａ１」を出力条件に指定した例を示している。この場合、集約装置４の注目情報生成部４９は、記憶部４８に記憶された図８のデータベースを参照して、地域Ａ１で放送された番組における注目キーワード「みかん」および「なし」を列挙する。
【００４０】
そして、「みかん」が注目度１０であるタイトルＴ１１の番組に２回登場しており、注目度５０である番組情報Ｔ１２に１回登場していることから、注目情報生成部４９は、「みかん」の注目度を、１０＊２＋５０＊１＝７０とすることができる。同様にして、注目情報生成部４９は「なし」の注目度を５０とすることができる。もちろん、注目度の算出法はこれに限られるものではない。
【００４１】
また、注目情報生成部４９は、「みかん」がタイトルＴ１１，Ｔ１２の番組に登場しており、「なし」がタイトルＴ１２の番組に登場していることを特定してもよい。
【００４２】
そして、図１０に示す注目情報が注目情報生成部４９からユーザ端末装置５に送信され、その情報表示部５３に表示される。
【００４３】
なお、出力条件には種々の設定法が考えられる。例えば、列挙される注目キーワードの数を注目度が高い順に制限できるようにしてもよい。あるいは、注目度や番組情報を省略し、単に注目キーワードのみ注目情報としてもよい。注目度を省略する場合、集約装置４に視聴番組受信部４２や注目度評価部４５を設けなくてもよい。
【００４４】
図１１は、情報提供システムの処理動作の一例を示すシーケンス図である。
【００４５】
各テレビ放送受信装置１は、番組情報、字幕情報および地域情報を集約装置４に送信する（ステップＳ１１）。また、各テレビ放送表示装置２は視聴番組情報を集約装置４に送信する（ステップＳ２１）。さらに、キーワード生成装置３は注目キーワードを集約装置４に送信する（ステップＳ３１）。なお、ステップＳ１１，Ｓ２１，Ｓ３１は必ずしもこの順である必要はない。
【００４６】
集約装置４では、放送情報受信部４１が、番組情報、字幕情報および情報を受信する。そして、集約部４４は、番組情報、字幕情報および地域情報を集約する（ステップＳ４１、図５）。
【００４７】
また、視聴番組受信部４２は視聴番組情報を受信する。そして、注目度評価部４５は視聴番組情報に基づいて各番組情報の注目度を評価する（ステップＳ４２、図６）。
【００４８】
さらに、キーワード受信部４３は注目キーワードを受信する。そして、キーワード抽出部４６は各番組情報に含まれる字幕情報から注目キーワードを抽出する（ステップＳ４３，図７）。
【００４９】
そして、データベース生成部４７は図８に示すデータベースを生成し、記憶部４８に記憶する（ステップＳ４４）。
【００５０】
一方、ユーザ端末装置５では、出力条件設定部５１がユーザからの指示に応じて出力条件を設定する（ステップＳ５１）。そして、送受信部５２は出力条件を集約装置４に送信する（ステップＳ５２）。
【００５１】
これに応じて、集約装置４の注目情報生成部４９は出力条件に応じた注目情報を生成する（ステップＳ４５）。注目情報はユーザ端末装置５に送信される（ステップＳ４６）。
【００５２】
そして、ユーザ端末装置５の送受信部５２が注目情報を受信し、図１０に示すような注目情報が情報表示部５３に注目情報が表示される（ステップＳ５３）。
【００５３】
このように、本実施形態では、複数のテレビ放送受信装置１を設け、地域ごとに番組情報および字幕情報を集約する。そして、各番組に含まれる字幕情報から注目キーワードを抽出する。そのため、ユーザは地域で注目されている固有の情報を知ることができる。
【００５４】
上述した実施形態で説明した情報提供システムの少なくとも一部は、ハードウェアで構成してもよいし、ソフトウェアで構成してもよい。ソフトウェアで構成する場合には、情報提供システムの少なくとも一部の機能を実現するプログラムをフレキシブルディスクやＣＤ−ＲＯＭ等の記録媒体に収納し、コンピュータに読み込ませて実行させてもよい。記録媒体は、磁気ディスクや光ディスク等の着脱可能なものに限定されず、ハードディスク装置やメモリなどの固定型の記録媒体でもよい。
【００５５】
また、情報提供システムの少なくとも一部の機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００５６】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５７】
１  テレビ放送受信装置
２  テレビ放送表示装置
３  キーワード生成装置
４  集約装置
４１  放送情報受信部
４２  視聴番組受信部
４３  キーワード受信部
４４  集約部
４５  注目度評価部
４６  キーワード抽出部
４７  データベース生成部
４８  記憶部
４９  注目情報生成部
５  ユーザ端末装置
１０  放送局
【図１】
2015065594.tif 000003
【図２】
2015065594.tif 000004
【図３】
2015065594.tif 000005
【図４】
2015065594.tif 000006
【図５】
2015065594.tif 000007
【図６】
2015065594.tif 000008
【図７】
2015065594.tif 000009
【図８】
2015065594.tif 000010
【図９】
2015065594.tif 000011
【図１０】
2015065594.tif 000012
【図１１】
2015065594.tif 000013